(57)【要約】【課題】複数の接眼部に対して設けられた表示部での無駄な電力の消費、焼き付き、寿命劣化の少なくとも１つを防ぐようにする。【解決手段】ＥＶＦ１０３及び外付けＥＶＦ１０６を備えたビデオカメラにおいて、外付けＥＶＦ１０６の表示パネル１０７が表示状態になっていない場合は、ＥＶＦ１０３の近接センサ１０５で検知された近接距離が第１の閾値よりも近接側となったことに応じて、ＥＶＦ１０３の表示パネル１０４を表示状態とし、外付けＥＶＦ１０６の表示パネル１０７が表示状態になっている場合は、ＥＶＦ１０３の近接センサ１０５で検知された近接距離が前記第１の閾値よりも近接側となる特定の条件を満たしたことに応じてＥＶＦ１０３の表示パネル１０４を表示状態とする。【選択図】図１
2017069913.tif 000002
【特許請求の範囲】
【請求項１】
第１の表示部を見るための第１の接眼部への物体の近接を検知する第１の検知手段での検知結果を取得する取得手段と、
前記第１の表示部と、第２の接眼部を介して視認可能な第２の表示部との表示を制御する制御手段であって、
前記第２の表示部が表示状態になっていない場合は、前記第１の検知手段で検知された近接距離が第１の閾値よりも近接側となったことに応じて前記第１の表示部を表示状態とし、
前記第２の表示部が表示状態になっている場合は、前記第１の検知手段で検知された近接距離が前記第１の閾値よりも近接側となる特定の条件を満たしたことに応じて前記第１の表示部を表示状態とするように制御する制御手段と、
を備えたことを特徴とする表示制御装置。
【請求項２】
前記制御手段は、前記第２の表示部が表示状態になっており、かつ、前記第１の検知手段で検知された近接距離が前記第１の閾値よりも近接側である第２の閾値よりも近接側である場合には、前記第１の表示部を表示状態とするように制御することを特徴とする請求項１に記載の表示制御装置。
【請求項３】
前記取得手段は、前記第２の接眼部への物体の近接を検知する第２の検知手段での検知結果も取得できることを特徴とする請求項１に記載の表示制御装置。
【請求項４】
前記制御手段は、前記第１の表示部が表示状態になっていない場合は、前記第２の検知手段で検知された近接距離が第３の閾値よりも近接側となったことに応じて前記第２の表示部を表示状態とし、
前記第２の表示部が表示状態になっている場合は、前記第２の検知手段で検知された近接距離が前記第３の閾値よりも近接側となる所定の条件を満たしたことに応じて前記第２の表示部を表示状態とするように制御することを特徴とする請求項３に記載の表示制御装置。
【請求項５】
第１の表示部を見るための第１の接眼部への物体の近接を検知する第１の検知手段での検知結果と、第２の表示部を見るための第２の接眼部への物体の近接を検知する第２の検知手段での検知結果を取得する取得手段と、
前記第２の検知手段で検知した近接距離が第３の閾値よりも近接側でない場合は、前記第１の検知手段で検知された近接距離が第１の閾値よりも近接側となったことに応じて前記第１の表示部を表示状態とし、
前記第１の検知手段で検知した近接距離が前記第１の閾値よりも近接側でない場合は、前記第２の検知手段で検知された近接距離が前記第３の閾値よりも近接側となったことに応じて前記第２の表示部を表示状態とし、
前記第２の検知手段で検知した近接距離が前記第３の閾値よりも近接側である場合には、前記第１の検知手段で検知された近接距離が前記第１の閾値よりも近接側となる特定の条件を満たしたことに応じて前記第１の表示部を表示状態とするように制御する制御手段と、
を備えたことを特徴とする表示制御装置。
【請求項６】
前記制御手段は、前記第１の検知手段で検知された近接距離が前記第１の閾値よりも近接側で、かつ、前記第２の検知手段で検知された近接距離が前記第３の閾値よりも近接側である場合には、前記第１の表示部と前記第２の表示部のうち、前記第１の検知手段と前記第２の検知手段のうちより近い近接距離を検知している検知手段に対応する表示部を表示状態とし、他方の表示部は表示状態としないように制御することを特徴とする請求項４又は５に記載の表示制御装置。
【請求項７】
前記制御手段は、前記第１の検知手段で検知された近接距離が前記第１の閾値よりも近接側かつ前記第１の閾値よりも近接側である第２の閾値よりも近接しておらず、かつ、前記第２の検知手段で検知された近接距離が前記第３の閾値よりも近接側かつ前記第３の閾値より近接側である第４の閾値よりも近接していない場合には、前記第１の表示部と前記第２の表示部のうち、前記第１の検知手段と前記第２の検知手段のうちより近い近接距離を検知している検知手段に対応する表示部を表示状態とし、他方の表示部は表示状態としないように制御することを特徴とする請求項４又は５に記載の表示制御装置。
【請求項８】
前記制御手段は、前記第１の検知手段で検知された近接距離が前記第２の閾値よりも近接側である場合には、前記第２の検知手段で検知された近接距離に関わらず前記第１の表示部を表示状態とするように制御することを特徴とする請求項７に記載の表示制御装置。
【請求項９】
前記制御手段は、前記第２の検知手段で検知された近接距離が前記第４の閾値よりも近接側である場合には、前記第１の検知手段で検知された近接距離に関わらず前記第２の表示部を表示状態とするように制御することを特徴とする請求項７に記載の表示制御装置。
【請求項１０】
前記制御手段は、前記第１の検知手段で検知された近接距離が前記第２の閾値よりも近接側であり、前記第２の検知手段で検知された近接距離が前記第４の閾値よりも近接側である場合には、前記第１の表示部と前記第２の表示部の双方を表示状態とするように制御することを特徴とする請求項７乃至９の何れか１項に記載の表示制御装置。
【請求項１１】
前記第２の閾値と前記第４の閾値は同じ距離を示す閾値であることを特徴とする請求項７乃至１０の何れか１項に記載の表示制御装置。
【請求項１２】
前記第１の閾値と前記第３の閾値は同じ距離を示す閾値であることを特徴とする請求項４乃至１１の何れか１項に記載の表示制御装置。
【請求項１３】
前記第２の表示部と前記第２の接眼部と前記第２の検知手段を備える外部表示装置を接続する接続手段とをさらに備えることを特徴とする請求項３乃至１２の何れか１項に記載の表示制御装置。
【請求項１４】
前記制御手段は、前記第１の表示部が表示状態となっている場合には、前記第２の表示部の表示状態に関わらず、前記第１の閾値よりも近接側でなくなったことに応じて前記第１の表示部を非表示状態とするように制御することを特徴とする請求項１乃至１３の何れか１項に記載の表示制御装置。
【請求項１５】
前記第１の表示部と、
前記第１の接眼部と、
前記第１の検知手段と、
をさらに備えることを特徴とする請求項１乃至１４の何れか１項に記載の表示制御装置。
【請求項１６】
撮像手段を更に備え、
前記制御手段は、前記第１の表示部と前記第２の表示部の少なくとも一方に前記撮像手段で撮像された映像を表示させることが可能であることを特徴とする請求項１乃至１５の何れか１項に記載の表示制御装置。
【請求項１７】
第１の表示部を見るための第１の接眼部への物体の近接を検知する第１の検知手段での検知結果を取得する取得ステップと、
前記第１の表示部と、第２の接眼部を介して視認可能な第２の表示部との表示を制御する制御ステップであって、
前記第２の表示部が表示状態になっていない場合は、前記第１の検知手段で検知された近接距離が第１の閾値よりも近接側となったことに応じて前記第１の表示部を表示状態とし、
前記第２の表示部が表示状態になっている場合は、前記第１の検知手段で検知された近接距離が前記第１の閾値よりも近接側となる特定の条件を満たしたことに応じて前記第１の表示部を表示状態とするように制御する制御ステップと、
を備えたことを特徴とする表示制御装置の制御方法。
【請求項１８】
第１の表示部を見るための第１の接眼部への物体の近接を検知する第１の検知手段での検知結果と、第２の表示部を見るための第２の接眼部への物体の近接を検知する第２の検知手段での検知結果を取得する取得ステップと、
前記第２の検知手段で検知した近接距離が第３の閾値よりも近接側でない場合は、前記第１の検知手段で検知された近接距離が第１の閾値よりも近接側となったことに応じて前記第１の表示部を表示状態とし、
前記第１の検知手段で検知した近接距離が前記第１の閾値よりも近接側でない場合は、前記第２の検知手段で検知された近接距離が前記第３の閾値よりも近接側となったことに応じて前記第２の表示部を表示状態とし、
前記第２の検知手段で検知した近接距離が前記第３の閾値よりも近接側である場合には、前記第１の検知手段で検知された近接距離が前記第１の閾値よりも近接側となる特定の条件を満たしたことに応じて前記第１の表示部を表示状態とするように制御する制御ステップと、
を備えたことを特徴とする表示制御装置の制御方法。
【請求項１９】
コンピュータを、請求項１乃至１６の何れか１項に記載された表示制御装置の各手段として機能させるためのプログラム。
【請求項２０】
コンピュータを、請求項１乃至１６の何れか１項に記載された表示制御装置の各手段として機能させるためのプログラムを格納したコンピュータが読み取り可能な記憶媒体。
【発明の詳細な説明】
【技術分野】
【０００１】
本発明は、複数の接眼部を備える場合に利用して好適な表示制御装置、その制御方法、プログラム及びコンピュータ読み取り可能な記憶媒体に関する。
【背景技術】
【０００２】
近年、外部表示装置以外にファインダを搭載したデジタルカメラ等の撮像装置の普及が進んでいる。それらには、光学式ファインダを搭載したものもあるが、最近は電子ビューファインダ（以下、ＥＶＦと略す）を搭載したものも増えてきている。
ＥＶＦは、撮像素子で撮像した画像をリアルタイムに表示することができるので、実際に撮像された画像を確認できて大変便利である。しかしながら、その一方で、ＥＶＦに用いられる表示パネルが、バックライト等の照明を用いる液晶パネルであれば、消費電力が大きいという欠点や、有機ＥＬパネルであれば、長時間表示を続けると焼き付きや寿命劣化が発生するという欠点も持っている。
【０００３】
特許文献１には、ＥＶＦに接眼検知手段を設け、使用者の接眼が検知されたときはＥＶＦ表示モニタの表示をオンにし、接眼が検知されていないときはＥＶＦの表示をオフにする構成が開示されている。これにより、バックライトでの消費電力を低減して省エネルギー化を図り、焼き付きや寿命劣化を軽減させることができる。
また、特許文献２には、可動式液晶モニターが非格納状態にあるときは、接眼検知手段が対象物の接近を検知しても電子式ビューファインダーに画像を表示させないようにする構成が開示されている。
【先行技術文献】
【特許文献】
【０００４】
【特許文献１】特開平１０−４５０９号公報
【特許文献２】特開２０１１−０７１９７１号公報
【発明の概要】
【発明が解決しようとする課題】
【０００５】
ビデオカメラ等では、外部表示装置ユニットを着脱可能に接続できるものがある。オプションとして様々な外部表示装置ユニットがあり、ＥＶＦ方式のもの（以下、外付けＥＶＦという）もある。ユーザは撮影スタイルに合わせてオプションを選択し、好みの外部表示装置ユニットを接続することができる。
【０００６】
外部表示装置ユニットを接続できるビデオカメラ等においては、カメラ本体に括りつけのＥＶＦがある場合にも、外付けＥＶＦが接続される状況がありえる。
このように２つのＥＶＦがある場合、例えば両ＥＶＦ間の距離が近いと、一方のＥＶＦを覗く際に、他方のＥＶＦでも近接検知が反応してしまい、ユーザが覗こうとしていないＥＶＦまでが点灯してしまうことがある。この場合、無駄な電力を消費してしまい、有機ＥＬパネルであれば焼き付きや寿命劣化を招くという問題点があった。
上述した特許文献１、２では、２つのＥＶＦがある場合の表示制御については考慮されていない。
【０００７】
本発明は上記のような点に鑑みてなされたものであり、複数の接眼部に対して設けられた表示部での無駄な電力の消費、焼き付き、寿命劣化の少なくとも１つを防ぐようにすることを目的とする。
【課題を解決するための手段】
【０００８】
本発明の表示制御装置は、第１の表示部を見るための第１の接眼部への物体の近接を検知する第１の検知手段での検知結果を取得する取得手段と、
前記第１の表示部と、第２の接眼部を介して視認可能な第２の表示部との表示を制御する制御手段であって、
前記第２の表示部が表示状態になっていない場合は、前記第１の検知手段で検知された近接距離が第１の閾値よりも近接側となったことに応じて前記第１の表示部を表示状態とし、
前記第２の表示部が表示状態になっている場合は、前記第１の検知手段で検知された近接距離が前記第１の閾値よりも近接側となる特定の条件を満たしたことに応じて前記第１の表示部を表示状態とするように制御する制御手段と、
を備えたことを特徴とする。
【発明の効果】
【０００９】
本発明によれば、複数の接眼部に対して設けられた表示部の表示状態を制御することにより、無駄な電力の消費、焼き付き、寿命劣化の少なくとも１つを防ぐことができる。
【図面の簡単な説明】
【００１０】
【図１】実施形態に係るビデオカメラの構成を示すブロック図である。
【図２】実施形態に係るビデオカメラの外観斜視図である。
【図３】実施形態に係るビデオカメラの処理動作を示すフローチャートである。
【図４】接眼距離の閾値を説明するための図である。
【発明を実施するための形態】
【００１１】
以下、添付図面を参照して、本発明の好適な実施形態について説明する。
図１に、実施形態に係るビデオカメラの構成を示す。本実施形態では、ビデオカメラが本発明を適用した表示制御装置として機能する例を説明する。
１０１はシステム制御部であり、例えばＣＰＵ等により構成され、ビデオカメラの各部を制御する。システム制御部１０１は、デジタル信号処理部１１０を備える。
１０２は電源スイッチであり、ビデオカメラの電源をオン／オフ操作する切替スイッチである。
【００１２】
１０３はカメラ本体に括りつけのＥＶＦであり、再生映像や撮影映像を表示可能な例えば有機ＥＬパネルからなる表示パネル１０４、及び物体の近接距離（以下では、接眼距離と呼ぶ）を検出することのできる近接センサ１０５を備える。近接センサ１０５はＥＶＦ１０３に対応した近接センサである。表示パネル１０４は、ＥＶＦ１０３の接眼部を介して視認可能である。システム制御部１０１は、表示パネル１０４に表示する映像（画像）の出力制御を行う。また、システム制御部１０１は、近接センサ１０５で検出されるＥＶＦ１０３の接眼距離を取得する（すなわち、近接センサ１０５での検知結果を取得する）。本実施形態においては、ＥＶＦ１０３の接眼部が本発明でいう第１の接眼部に相当するもので、表示パネル１０４が第１の表示部、近接センサ１０５が第１の検知手段として機能する。
１０６はビデオカメラに着脱可能に接続される外付けＥＶＦであり、再生映像や撮影映像を表示可能な例えば有機ＥＬパネルからなる表示パネル１０７、及び物体の近接距離（以下では、接眼距離と呼ぶ）を検出することのできる近接センサ１０８を備える。近接センサ１０８は外付けＥＶＦ１０６に対応した近接センサである。表示パネル１０７は、外付けＥＶＦ１０６の接眼部を介して視認可能である。システム制御部１０１は、表示パネル１０７に表示する映像の出力制御を行う。また、システム制御部１０１は、近接センサ１０８で検出される外付けＥＶＦ１０６の接眼距離を取得する（すなわち、近接センサ１０８での検知結果を取得する）。本実施形態においては、外付けＥＶＦ１０６が本発明でいう外部表示装置に相当するもので、外付けＥＶＦ１０６の接眼部が第２の接眼部、表示パネル１０７が第２の表示部、近接センサ１０８が第２の検知手段として機能する。
【００１３】
１０９は電源回路であり、システム制御部１０１の制御下でＥＶＦ１０３及び外付けＥＶＦ１０６の電源制御を行う。
１１１は映像・音声入力装置であり、撮像素子やＡ／Ｄ変換機等を備える。
１１２は映像・音声信号処理部であり、映像・音声入力装置１１１で入力される撮影した映像信号等に対して必要な信号処理を行う。
１１３は記録再生部であり、信号処理された映像信号を記録再生する。
システム制御部１０１のデジタル信号処理部１１０は、映像・音声信号処理部１１２から入力された映像信号を信号処理する。例えば記録再生部１１３、ＥＶＦ１０３、及び外付けＥＶＦ１０６に合わせてフォーマット変換及びリサイズ処理を行う。また、記録再生部１１３に記録する映像信号に対してメタデータ付加の処理を行う。
【００１４】
１１４は記憶媒体であり、例えばＲＯＭや不揮発性メモリ等からなり、システム制御部１０１が実行するプログラムを記憶する。
１１５はワークメモリであり、例えばＲＡＭやシステムメモリ等からなり、システム制御部１０１がプログラムを実行する際にプログラムを展開するのに用いられる。
【００１５】
図２に、実施形態に係るビデオカメラの外観斜視図を示す。なお、図１で説明した構成要素には同一の符号を付し、その説明は省略する。
２０１はカメラ本体、２０２はレンズ、２０３はカメラ本体２０１と外付けＥＶＦ１０６を接続する接続ケーブルである。
カメラ本体２０１の前部にレンズ２０２が配設され、後部にＥＶＦ１０３が配設される。また、カメラ本体２０１の後部に接続ケーブル２０３を接続するコネクタ部が設けられており、接続ケーブル２０３を介して外付けＥＶＦ１０６が着脱可能に接続される。外付けＥＶＦ１０６は接続ケーブル２０３により接続されるので、自由な場所に設置することができる。
【００１６】
次に、実施形態に係るビデオカメラが実行する処理を説明する。
図３は、実施形態に係るビデオカメラが実行する処理を示すフローチャートである。図３に示す処理は、システム制御部１０１が、記憶媒体１１４で記憶するプログラムをワークメモリ１１５に展開して実行することによって実現される。
図３のフローチャートは、電源スイッチ１０２によって電源が投入されると開始される。なお、開始時点では、ＥＶＦ１０３及び外付けＥＶＦ１０６は共に点灯されておらず、表示状態となっていない。
ステップＳ３０１で、システム制御部１０１は、ＥＶＦ１０３の近接センサ１０５で検知する接眼距離Ｆ１が、予め定められた閾値Ｔｈ１未満であるか否かを判定する。接眼距離Ｆ１がＴｈ１未満である場合、すなわちＴｈ１よりも近接している場合、ステップＳ３０４に進む。接眼距離Ｆ１がＴｈ１未満でない場合、ステップＳ３０２に進む。
【００１７】
ステップＳ３０２で、システム制御部１０１は、外付けＥＶＦ１０６の近接センサ１０８で検知する接眼距離Ｆ２がＴｈ１未満であるか否かを判定する。接眼距離Ｆ２がＴｈ１未満である場合、すなわちＴｈ１よりも近接している場合、ステップＳ３０３に進む。接眼距離Ｆ２がＴｈ１未満でない場合、ステップＳ３０１に戻る。
ステップＳ３０３で、システム制御部１０１は、電源回路１０９を制御して外付けＥＶＦ１０６を点灯させて表示状態とする。
【００１８】
ステップＳ３０４で、システム制御部１０１は、外付けＥＶＦ１０６の近接センサ１０８で検知する接眼距離Ｆ２がＴｈ１未満であるか否かを判定する。接眼距離Ｆ２がＴｈ１未満である場合、すなわちＴｈ１よりも近接している場合、ステップＳ３０６に進む。接眼距離Ｆ２がＴｈ１未満でない場合、ステップＳ３０５に進む。
ステップＳ３０５で、システム制御部１０１は、電源回路１０９を制御してＥＶＦ１０３を点灯させて表示状態とする。
【００１９】
ステップＳ３０６で、システム制御部１０１は、接眼距離Ｆ１及びＦ２が共に、予め定められた閾値Ｔｈ２未満であるか否かを判定する。接眼距離Ｆ１及びＦ２が共にＴｈ２未満である場合、ステップＳ３０７に進む。接眼距離Ｆ１及びＦ２が共にＴｈ２未満でない場合、ステップＳ３０８に進む。
ここで、Ｔｈ２は、Ｔｈ１よりも短い距離、すなわちＴｈ１よりも近接側で設定された閾値である。図４を参照して、接眼距離の閾値の例について説明する。例えば接眼距離７．５ｃｍを閾値Ｔｈ１とする。また、閾値Ｔｈ１よりも近接側の接眼距離２．５ｃｍを閾値Ｔｈ２とする。
ステップＳ３０７で、システム制御部１０１は、電源回路１０９を制御してＥＶＦ１０３及び外付けＥＶＦ１０６の両方を点灯させて表示状態とする。
【００２０】
ステップＳ３０８で、システム制御部１０１は、接眼距離Ｆ１と接眼距離Ｆ２とを比較し、ステップＳ３０９で、接眼距離Ｆ１が接眼距離Ｆ２未満であるか否かを判定する。接眼距離Ｆ１が接眼距離Ｆ２未満である場合、すなわちＥＶＦ１０３への接眼距離の方が短い場合、ステップＳ３１０に進む。接眼距離Ｆ１が接眼距離Ｆ２未満でない場合、すなわち外付けＥＶＦ１０６への接眼距離の方が短い場合、ステップＳ３１１に進む。
ステップＳ３１０で、システム制御部１０１は、電源回路１０９を制御してＥＶＦ１０３を点灯させて表示状態とする。一方、ステップＳ３１１で、システム制御部１０１は、電源回路１０９を制御して外付けＥＶＦ１０６を点灯させて表示状態とする。
【００２１】
ステップＳ３１２で、システム制御部１０１は、電源スイッチ１０２によって電源がオフされたか否かを判定する。電源がオフにされた場合、本処理を終了し、カメラの電源を落とす。電源がオフされていない場合、ステップＳ３０１に戻る。
【００２２】
以上のように、ＥＶＦ１０３及び外付けＥＶＦ１０６のうちいずれか一方だけが覗かれて、Ｔｈ１よりも近接している場合、その一方のＥＶＦだけを表示状態とする。すなわち、ＥＶＦ１０３だけが覗かれて、Ｔｈ１よりも近接している場合、ステップＳ３０１でＹｅｓ、ステップＳ３０４でＮｏとなり、ステップＳ３０５でＥＶＦ１０３だけが表示状態となる。また、外付けＥＶＦ１０６だけが覗かれて、Ｔｈ１よりも近づいている場合、ステップＳ３０１でＮｏ、ステップＳ３０２でＹｅｓとなり、ステップＳ３０３で外付けＥＶＦ１０６だけが表示状態となる。
【００２３】
また、ＥＶＦ１０３及び外付けＥＶＦ１０６の両方が覗かれて、いずれもＴｈ２よりも近接している場合、両方のＥＶＦを表示状態とする。すなわち、ステップＳ３０１でＹｅｓ、ステップＳ３０４でＹｅｓ、ステップＳ３０６でＹｅｓとなり、ステップＳ３０７でＥＶＦ１０３及び外付けＥＶＦ１０６の両方が表示状態となる。これにより、例えば２人のユーザがそれぞれＥＶＦ１０３、外付けＥＶＦ１０６を覗くような状態では、両方のＥＶＦを表示状態とすることができる。
【００２４】
また、ＥＶＦ１０３及び外付けＥＶＦ１０６の両方においてＴｈ１よりも近接しているが、少なくともいずれか一方においてＴｈ２よりも近接していない場合、接眼距離が短い方のＥＶＦを表示状態とし、接眼距離が長い方のＥＶＦを表示状態としない。すなわち、ステップＳ３０１でＹｅｓ、ステップＳ３０４でＹｅｓ、ステップＳ３０６でＮｏとなり、ステップＳ３０８〜Ｓ３１１で、接眼距離が短い方のＥＶＦだけが表示状態となる。これにより、例えばＥＶＦ１０３及び外付けＥＶＦ１０６が近い距離で配置された場合に、一方のＥＶＦを覗いた際に、誤検出により他方のＥＶＦまでが点灯することを防ぐことができ、無駄な電力の消費、焼き付きや寿命劣化を防ぐことができる。また、これにより、外付けＥＶＦ１０６がＴｈ１よりも近接していて外付けＥＶＦ１０６が表示状態であり、ＥＶＦ１０３がＴｈ１よりも近接しておらずＥＶＦ１０３が表示状態でなかった場合には、以下の動作を行うこととなる。すなわち、ＥＶＦ１０３においてＴｈ１よりも近接したことを検知しても（ステップＳ３０１でＹｅｓ）、外付けＥＶＦ１０６が表示状態となっているため（ステップＳ３０４でＹｅｓ）、これだけではＥＶＦ１０３は表示状態としない。ＥＶＦ１０３においてＴｈ２よりも近接したことを検知すると、ステップＳ３０６でＹｅｓとなるか、ステップＳ３０９でＹｅｓとなるため、外付けＥＶＦ１０６においてどのような近接距離を検知しているかに関わらず、ＥＶＦ１０３を表示状態とする。また、ＥＶＦ１０３においてＴｈ２よりも近接していない場合でも、ＥＶＦ１０３における近接距離が、Ｔｈ１より近接側でかつ外付けＥＶＦ１０６における近接距離よりも近接側であればＥＶＦ１０３を表示状態とする。
【００２５】
以上のように２段階の閾値を設定することにより、接眼するときのＥＶＦ表示の反応速度を良くするとともに、誤検出を低減させつつ、ＥＶＦ１０３及び外付けＥＶＦ１０６の両方が同時に使用されるときには共にＥＶＦ表示することができる。
詳細には、図４に示すように、接眼距離Ｔ１〜Ｔ２は排他点灯域として、ＥＶＦ１０３又は外付けＥＶＦ１０６が点灯するように制御する。これにより、反応距離を広く設定して、接眼するときのＥＶＦ表示の反応速度を良くすることができる。
一方、接眼距離Ｔｈ２未満は点灯域として、ＥＶＦ１０３及び外付けＥＶＦ１０６の両方が点灯するように制御する。これにより、誤検出を低減させつつ、ＥＶＦ１０３及び外付けＥＶＦ１０６の両方が使用されるときには共にＥＶＦ表示することができる。
【００２６】
なお、上述の例ではＥＶＦ１０３及び外付けＥＶＦ１０６に対して同値の閾値Ｔｈ１を設定したが、サイズや特性等に応じてＥＶＦ毎に値を設定してもよい。すなわち、ステップＳ３０１においてＥＶＦ１０３に対して閾値Ｔｈ１（１）を用い、ステップＳ３０２及びステップＳ３０４において外付けＥＶＦ１０６に対して閾値Ｔｈ１（２）を用いるようにしてもよい。
閾値Ｔｈ２についても同様に、ＥＶＦ１０３及び外付けＥＶＦ１０６に対して異なる値を設定してもよい。例えばステップＳ３０６においてＥＶＦ１０３に対して閾値Ｔｈ２（１）（＜Ｔｈ１（１））を用い、外付けＥＶＦ１０６に対して閾値Ｔｈ２（２）（＜Ｔｈ１（２））を用いるようにしてもよい。
また、上述の例では、接眼距離Ｔｈ２未満は点灯域としたが、ＥＶＦ１０３及び外付けＥＶＦ１０６の双方が点灯する点灯域を設けずに、接眼距離Ｔ１より近い側はすべて排他点灯域としてもよい。
また、接眼距離Ｔ１〜Ｔ２は排他点灯域として、ＥＶＦ１０３と外付けＥＶＦ１０６のうち接眼距離が近い方を点灯する例を説明したが、接眼距離が近い方では無く、最初から表示状態となっていた方の表示状態を継続し、他方は表示状態としないようにしてもよい。
さらに、ＥＶＦ１０３と外付けＥＶＦ１０６を非表示状態から表示状態に切り替える場合（接眼距離が近づいてきた場合）に上述の各種処理を行い、表示状態から非表示状態にする場合（消灯する場合）は異なる条件を用いてヒステリシスを設けるようにしてもよい。例えば、消灯する場合（接眼距離が遠ざかる場合、離眼する場合）は、ＥＶＦ１０３と外付けＥＶＦ１０６のうち他方の接眼距離に関わらず、Ｔｈ１より遠ざかったことを検知した場合にＴｈ１より遠ざかったことを検知したほうを消灯する。このようにすれば、Ｔｈ２より近接してＥＶＦ１０３と外付けＥＶＦ１０６の双方が表示状態となった場合、すなわち双方において眼を一旦Ｔｈ２よりも近づけて双方表示状態とした後は、多少離れてもＴｈ１以内であれば双方の表示状態が継続する。従って表示状態と非表示状態が切り替わり過ぎて扱いにくくなるといったことを防止することができる。
【００２７】
上述した実施形態では、システム制御部１０１が制御を行う例を説明したが、制御は１つのハードウェアが行ってもよいし、複数のハードウェアが処理を分担することで、装置全体の制御を行ってもよい。
【００２８】
以上、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
上述した実施形態では、本発明をビデオカメラに適用した例を説明したが、この例に限定されず、複数の接眼ファインダの表示を制御する装置であれば適用可能である。例えば複数のＥＶＦを制御するものであれば、ビデオカメラ以外でも、デジタルスチルカメラやカメラ付き携帯端末等の撮像装置に本発明を適用してもよい。また、撮像装置以外でも、複数の接眼部を制御するものであれば、顕微鏡や医療器に本発明を適用してもよい。
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読み出し実行する処理でも実現可能である。また、１以上の機能を実現する回路（例えば、ＡＳＩＣ）によっても実現可能である。
【符号の説明】
【００２９】
１０１：システム制御部、１０２：電源スイッチ、１０３：ＥＶＦ、１０４：表示パネル、１０５：近接センサ、１０６：外付けＥＶＦ、１０７：表示パネル、１０８：近接センサ、１０９：電源回路、１１０：デジタル信号処理部、１１１：映像・音声入力装置、１１２：映像・音声信号処理部、１１３：記録再生部、１１４：記憶媒体、１１５：ワークメモリ
【図１】
2017069913.tif 000003
【図２】
2017069913.tif 000004
【図３】
2017069913.tif 000005
【図４】
2017069913.tif 000006